(57)【要約】      （修正有）【課題】迅速かつ確実な洗浄を可能とした上で、装置の小型化および作業効率性の向上を図る。【解決手段】洗浄水が貯水される洗浄容器２内に内蔵されたタンク３内の空気圧を昇圧・減圧することによって、タンク３内の洗浄水を抜水・入水して洗浄容器２内の水位を変更する金属製品の洗浄装置。【選択図】図１
0003112791.tif 000002
【実用新案登録請求の範囲】
【請求項１】
第１発明は、金属製品を洗浄する洗浄水が貯水されるとともに、金属製品を洗浄する開閉可能な洗浄容器内に、前記洗浄水が空気圧によって入水・抜水される略逆向き容器状のタンクと、当該タンク内の空気圧を昇圧・減圧する昇減圧ノズルと、前記タンクの上方で金属製品を支持する回転支持部と、金属製品を洗浄するための気泡を噴出する噴出ノズルと、金属製品の水切りをするためのエアーを噴出するエアブローノズルとが内蔵されてなり、前記容器とタンクの容量における相関関係を、タンク内を昇圧してタンク内の洗浄水が抜水された状態では、容器内の洗浄水の水面が前記支持部に支持される金属製品の最上面よりも上になり、タンク内を減圧してタンク内に洗浄水が入水された状態では、容器内の洗浄水の水面が前記支持部に支持される金属製品の最下部よりも下になるようにし、タンク内の洗浄水が抜水された状態において、前記支持部を回転させるとともに、噴出ノズルから気泡を噴出させて金属製品を洗浄し、タンク内に洗浄水が入水された状態において、前記支持部を回転させるとともに、エアブローノズルから空気を噴出して水切りを行うようにしている金属製品の洗浄装置。
【考案の詳細な説明】
【技術分野】
【０００１】
本考案は、金属製品の洗浄装置に関し、詳しくは、金属製品に付着しているアルミニウム粉や切粉、さらには表面処理剤や油分等を洗浄するための洗浄装置に関する。
【背景技術】
【０００２】
従来の金属製品を洗浄する洗浄装置の先行技術文献情報として、たとえば、下記の特許文献１〜特許文献４等が挙げられる。
【特許文献１】特開平５−３１７８１６号
【特許文献２】特開平５−９２１７６号
【特許文献３】特開平６−２３８２４５号
【特許文献４】特開２０００−１１７２０７号
【０００３】
前記特許文献１〜特許文献４に記載の洗浄装置は、主に金属製品に付着している鉄粉や表面処理剤、さらには油分等を自動的に洗浄し、水切りまたは乾燥まで行えるため、従来行われていた作業者の手で製品を水洗いし、エアガン等でエアーブローして水切りをする作業に比べ、金属製品を迅速かつ確実に洗浄できる上に、周囲への洗浄水や洗浄液、アルミニウム粉や切粉、さらには表面処理剤や油分等の飛散も防止でき、洗浄作業上極めて有効的なものである。
本願出願人は、洗浄装置をさらに有効的なものとするという観点から鋭意研究の結果本考案に至ったものである。
【考案の開示】
【考案が解決しようとする課題】
【０００４】
そこで本考案は、迅速かつ確実な洗浄を可能とした上で、装置の小型化および作業効率性の向上を図ることを課題とし、この課題を解決した洗浄装置の提供を目的とする。
【課題を解決するための手段】
【０００５】
本考案は、上記目的を達成するために下記の技術的手段を採用した。
第１発明は、金属製品を洗浄する洗浄水が貯水されるとともに、金属製品を洗浄する開閉可能な洗浄容器内に、前記洗浄水が空気圧によって入水・抜水される略逆向き容器状のタンクと、当該タンク内の空気圧を昇圧・減圧する昇減圧ノズルと、前記タンクの上方で金属製品を支持する回転支持部と、金属製品を洗浄するための気泡を噴出する噴出ノズルと、金属製品の水切りをするためのエアーを噴出するエアブローノズルとが内蔵されてなり、前記容器とタンクの容量における相関関係を、タンク内を昇圧してタンク内の洗浄水が抜水された状態では、容器内の洗浄水の水面が前記支持部に支持される金属製品の最上面よりも上になり、タンク内を減圧してタンク内に洗浄水が入水された状態では、容器内の洗浄水の水面が前記支持部に支持される金属製品の最下部よりも下になるようにし、タンク内の洗浄水が抜水された状態において、前記支持部を回転させるとともに、噴出ノズルから気泡を噴出させて金属製品を洗浄し、タンク内に洗浄水が入水された状態において、前記支持部を回転させるとともに、エアブローノズルから空気を噴出して水切りを行うようにしたことである（第１考案）。
【考案の効果】
【０００６】
本考案の洗浄装置によれば、下記の優れた効果が期待できる。
第１考案によれば、金属製品を水洗いする際に、タンク内の洗浄水が抜水されることにより、洗浄容器内の水面が金属製品が水没する高さまで上昇し、この状態において前記支持部を回転させると同時に噴出ノズルからの気泡の噴出により金属製品が洗浄される。
続いて、タンク内に洗浄水が入水されることにより、洗浄容器内の水面が金属製品の最下部よりも下側に下降し、この状態において前記支持部を回転させると同時にエアブローノズルからの空気の噴出により金属製品が水切りされる。
すなわち、洗浄水がすべて金属製品を洗浄する洗浄容器内にあって、水洗いから水切りまでの金属製品の洗浄毎に洗浄容器内の洗浄水を抜いたり入れなりすることなく、金属製品を洗浄することができるので、洗浄水を入れたり抜いたりする時間を短縮できる上に、洗浄水を貯水するための貯水槽や当該貯水槽内の洗浄水を汲み上げるポンプが不要になるため洗浄装置を小型化することができる。
したがって、迅速かつ確実な洗浄を可能とした上で、洗浄装置の小型化および作業効率の向上を図ることができる。
【考案を実施するための最良の形態】
【０００７】
以下、本考案の洗浄装置を実施するための最良の形態を図面に基づいて説明する。
本形態の洗浄装置１は、装置本体１Ａには、洗浄容器２と、タンク３と、昇減圧ノズル４と、回転支持部５と、噴出ノズル６Ａ，６Ｂと、エアブローノズル７とが配設されている。
図中符号２１は、装置本体１Ａを開閉するための扉部であり、装置本体２の開口部２２上に開閉方向スライド可能に配設されている。
前記扉部２１は、コンプレッサー１Ｂで伸縮動するシリンダー２３によって開閉動作するようにされている。
前記コンプレッサー１Ｂには、主パイプＰ配管され、当該主パイプＰがシリンダー２３を伸縮動させるための電磁弁Ｖに配管されている。
また、当該電磁弁Ｖからシリンダー２３へ伸張方向と収縮方向とに分岐パイプＰ１０，Ｐ２０が配管されている。
【０００８】
前記洗浄容器２は、洗浄水が貯水可能な略円筒状に形成され、底部２Ａを略ロート状に形成し、当該底部２Ａの最低部の外側に洗浄水を抜くためのドレンバルブ２４が取り付けられている。
【０００９】
前記タンク３は、下方が開放された略逆向き容器状のものである。
前記タンク３は、前記昇減圧ノズルによるタンク３内の昇減圧によって、洗浄水が出し入れされるものであり、その容量は、タンク３内に洗浄水が満水状態の場合、洗浄容器２内の水位Ｗ１が前記回転支持部５に支持される金属製品Ａの最下部よりも下側に位置し、タンク３内から洗浄水が抜かれた状態の場合、洗浄容器２内の水位Ｗ２が前記回転支持部５に支持される金属製品Ａが水没する位置である。
【００１０】
昇減圧ノズル４は、前記タンク３内に空気を供給したりタンク３内の空気を吸引したりすることでタンク３内を昇減圧するものであり、昇圧することによってタンク３内の洗浄水を抜水し、減圧することによってタンク３内に洗浄水を入水するようにしている。
また、昇減圧ノズル４には、主パイプＰに配管されたパイプＰ１が配管されている。
【００１１】
回転支持部５は、前記タンク３の直上に設けられた箱体Ｂ上に回転可能に配設されている。
具体的には、図１〜図３に示すように、金属製品Ａを支持する支持板５１と、当該支持板５１を回転可能に支持する支持体５２とから構成されている。
前記支持板５１の裏面中心には、前記支持体５２に回転可能に嵌合される支持杆５３が一体に設けられている。
前記支持杆５３は、支持体５２を貫通するとともに、前記箱体Ｂの空間Ｂ１に突出しており、当該突出部分に前記洗浄容器２の外側に取り付けられたモーター５４とに亘ってベルト５５が巻き掛けられ、モーター５４の回転がベルト５５を介して伝達されて回転することによって、前記支持板５３を回転させるようにしている。
また、前記支持杆５３は、パイプ状のものであり、前記支持体５２の中心に開孔されてなる噴出ノズル６Ａと連通される一方、前記空間Ｂ１側の端部に回転継手５６を介して主パイプＰに配管されたパイプＰ２が配管されている。
また、噴出ノズル６Ｂは、洗浄容器２内の洗浄水が水位Ｗ２よりも下側に配設され、前記パイプＰ２が配管されている。
すなわち、前記噴出ノズル６Ａ，６Ｂは、洗浄容器２内の洗浄水が水位Ｗ２であるときにエアーを噴射することによって、気泡を発生させて回転支持部５上の金属製品Ａを洗浄する。
このとき、前記支持板５１が低速回転することによっても金属製品Ａの洗浄が行われる
【００１２】
エアブローノズル７は、金属製品Ａの水切りをするためのエアーを噴出するものであり、水位Ｗ２よりも上方に複数設けられ、これらエアーブローノズル７には、主パイプＰに配管されたパイプＰ３が配管されている。
金属製品Ａの水切りは、洗浄容器２内の洗浄水が水位Ｗ１であるときにエアーを金属製品Ａに向けて噴射することによって行われる。
また、金属製品Ａの水切りは、前記噴出ノズル６Ａ，６Ｂからのエアーの噴射および前記支持板５１が高速回転することによっても行われる。
【００１３】
前記パイプＰ１〜Ｐ３の配管道中には、電磁弁Ｖ１〜Ｖ３および電磁弁Ｖ１１が設けられ、これら電磁弁によってパイプＰ１〜Ｐ２が開閉されるようにされている。
また、前記電磁弁Ｖ、電磁弁Ｖ１〜Ｖ３および電磁弁Ｖ１１は、金属製品Ａの洗浄作業における前記各ノズルにおけるエアーの供給および供給停止、昇減圧ノズル４におけるタンク２内のエア抜きを行う際に、制御部（図示せず）の制御によって、あらかじめ設定された洗浄作業順に開閉するようにされている。
前記電磁弁Ｖ１１は、電磁弁Ｖ１の下流側のパイプＰ１に配管されたエア抜き用のベントパイプＰ１１を開閉するものであり、開くことによって前記タンク３内を減圧し、タンク３内に洗浄水を入水するためのものである。
前記制御部は、前記扉２１を開閉動作させるシリンダー２３の伸縮動作および動作停止、さらには、前記モーター５４の動作および動作停止と回転速度の加減速の制御も行う。
前記箱体Ｂの空間Ｂ１は、前記ベルト５５や各配管の配設空間であり、洗浄容器２内とは、水密状に隔離されている。
【００１４】
以下、前記構成の洗浄装置１の金属製品Ａの洗浄作業動作を説明する。（図４（ａ）〜図５（ｅ）において示す図面は、洗浄装置１の概略を示しており、配管形態は図１を参照）
なお、制御部には、洗浄作業における洗浄順や各洗浄時間、前記回転支持部５の回転スピード、各ノズルからの空気圧等をあらかじめ設定する。
【００１５】
第１工程（図４（ａ））：制御部の操作によってコンプレッサー１Ｂを作動させるとともに、電磁弁Ｖのシリンダー２３収縮側を開いて扉２１を開き、金属製品Ａを回転支持部５にセットし、その後、電磁弁Ｖのシリンダー２３伸張側を開いて、シリンダー２３を伸張させて扉２１を閉じる。
前記扉２１が閉じられると同時に、電磁弁Ｖは、全て閉じられる。
なお、本考案における前記設定は、前記扉２１を閉じた時点から各ノズルからのエアー供給や回転支持部５の動作、洗浄終了時における扉２１の開動作を自動的に行い、当該開動作の終了時に金属製品Ａの一連の洗浄作業が終了する設定である。
【００１６】
第２工程（図４（ｂ））：前記扉２１が閉じられると、前記電磁弁Ｖ１が開いて昇減圧ノズル４からタンク３にエアーが供給され、その空気圧によってタンク３内の洗浄水を押し出し、洗浄容器２内の洗浄水が水位Ｗ２の位置となって金属製品Ａおよび噴出ノズル６Ａ，６Ｂが水没する。
前記昇減圧ノズル４のエアーの供給は、タンク３内の洗浄水が水位Ｗ２の位置に至るまで行われる。
前記洗浄水の水位Ｗ２の位置に至った判断は、洗浄容器２内に設置した水面検出手段(例えば、レベルスイッチ等、図示せず)で水位Ｗ２を検出することで行われ、洗浄水が水位Ｗ２に至った際に水面検出手段が検出して前記電磁弁Ｖ１を閉じる。
この状態では、電磁弁Ｖ１とともに電磁弁Ｖ１１も閉じられていて、タンク３内の空気圧を洗浄容器２内の洗浄水の水圧よりも高く保持することによって、当該洗浄水のタンク３内への浸水が防止されている。
【００１７】
第３工程（図４（ｃ））：前記電磁弁Ｖ１が閉じると同時に、モーター５４が作動して前記支持板５１が低速回転し、前記電磁弁Ｖ２が開いて噴出ノズル６Ａ，６Ｂからエアーが噴出して気泡が発生する。
このとき、支持板５１の回転と気泡によって金属製品Ａを洗浄する。
前記洗浄時間は、制御部にあらかじめ洗浄時間を設定し、その設定した時間に達すると制御部がモーター５４を停止させるとともに、前記電磁弁Ｖ２を閉じる。
【００１８】
第４工程（図４（ｄ））：前記電磁弁Ｖ２が閉じると同時に、前記電磁弁Ｖ１１が開いてタンク３内とベントパイプＰ１１が挿通されて、タンク３内のエアーが前記昇減圧ノズル４から抜け可能状態となる。
すなわち、エアーが抜け可能となるため、タンク内の空気圧が減圧され、洗浄容器２内の洗浄水の水圧によってエアーが昇減圧ノズル４から抜けるのに比例して、洗浄水がタンク３内に入水される。
タンク３内に洗浄水が満水状態になると、洗浄容器２内の洗浄水が水位Ｗ１の位置となって金属製品Ａが水面から露出する。
前記減圧時間は、洗浄容器２内に設置した水面検出手段(例えば、レベルスイッチ等、図示せず)で水位Ｗ１を検出することで行われ、洗浄水が水位Ｗ１に至った際に水面検出手段が検出して前記電磁弁Ｖ１１を閉じる。
【００１９】
第５工程（図５（ｅ））：前記電磁弁Ｖ１１が閉じると同時に、モーター５４が作動して支持板５１が高速回転するとともに、前記電磁弁Ｖ２および電磁弁Ｖ３が開いて、噴出ノズル６Ａ，６Ｂとエアブローノズル７とからエアーが噴出して、金属製品Ａの水切りを行う。
前記水切り時間は、制御部にあらかじめ水きり時間を設定し、その設定した時間に達すると制御部が前記モーター５４を停止させるとともに、電磁弁Ｖ２および電磁弁Ｖ３を閉じる。
前記水切りの終了後に、前記電磁弁Ｖのシリンダー２３を収縮させる側が開いて扉２１が開かれることによって、全ての電磁弁が閉じる（図示せず）。
そして、洗浄された金属製品Ａを取出すことによって、次の金属製品をセットして、前記した動作を行うことによって、同様に洗浄することができる。
【００２０】
なお、本考案は、前記各洗浄工程を手動操作によって行ってもよい。
また、本考案は、例示した形態に限定するものではなく、実用新案登録請求の範囲に記載された内容から逸脱することなく、他の構成による実施も可能である。
【図面の簡単な説明】
【００２１】
【図１】本考案に係る洗浄装置を示す。
【図２】図１の（２）−（２）線断面図。
【図３】図１の要部拡大図。
【図４】洗浄作業動作の（ａ）〜（ｄ）の工程図。
【図５】図４（ｄ）に続く工程図。
【符号の説明】
【００２２】
１：洗浄装置
２：洗浄容器２
３：タンク
４：昇減圧ノズル
５：回転支持部
６Ａ：噴出ノズル
６Ｂ：噴出ノズル
７：エアブローノズル
２１：扉部
２２：開口部
１Ｂ：コンプレッサー
２３：シリンダー
Ｗ１：水位
Ｗ２：水位
Ａ：金属製品
【図１】
0003112791.tif 000003
【図２】
0003112791.tif 000004
【図３】
0003112791.tif 000005
【図４】
0003112791.tif 000006
【図５】
0003112791.tif 000007